(57)【要約】【課題】フォークリフト等によりパレットを運搬する際の損傷を防止して寿命を向上できる補強フレーム付紙製パレットを提供する。【解決手段】補強フレーム付紙製パレット１を、上下一対の矩形状載置板４，４と該載置板同士を結合する複数の桁部５とでフォーク差し込み孔２ａを形成してなる紙製パレット本体２と、該パレット本体２の側面に装着固定された帯板状のフレーム部３ａと該フレーム部３ａに上記フォーク差し込み孔２ａの内側を囲むように形成された差し込み口３ｂとを有する金属製補強フレーム３とを備えたものとする。【選択図】　　　図１
2004131126.tif 000002
【特許請求の範囲】
【請求項１】
上下一対の矩形状載置板と該載置板同士を結合する複数の桁部とでフォーク差し込み孔を形成してなる紙製パレット本体と、該パレット本体の側面に装着固定された帯板状のフレーム部と該フレーム部に上記フォーク差し込み孔の内側を囲むように形成された差し込み口とを有する金属製補強フレームとを備えたことを特徴とする補強フレーム付紙製パレット。
【請求項２】
請求項１において、上記パレット本体の載置板の少なくとも荷物載置面に防水性の紙板が貼着されていることを特徴とする補強フレーム付紙製パレット。
【請求項３】
請求項１において、上記パレット本体の載置板の少なくとも荷物載置面に防水性のベニヤ板，又はプラスチック板，もしくは金属板が配置され、該ベニヤ板，プラスチック板，金属板は上記補強フレームと載置板とにより挟持固定されていることを特徴とする補強フレーム付紙製パレット。
【請求項４】
請求項１ないし３の何れかにおいて、上記補強フレームが、上記フレーム部の上縁及び下縁に上記載置板の縁部を挟持する断面コ字状の挟持部を一体形成して構成されていることを特徴とする補強フレーム付紙製パレット。
【請求項５】
請求項１ないし４の何れかにおいて、上記補強フレームが、上記フレーム部の一端に内側に屈曲して延びるフック部を一体形成し、他端部にフック係合孔を形成して構成されており、上記パレット本体の各側面に組み付けられた第１の補強フレームのフック係合孔に第２の補強フレームのフック部が係合し、該第２の補強フレームのフック係合孔に第３の補強フレームのフック部が係合し、該第３の補強フレームのフック係合孔に第４の補強フレームのフック部が係合し、該第４の補強フレームのフック係合孔に上記第１の補強フレームのフック部が係合していることを特徴とする補強フレーム付紙製パレット。
【請求項６】
請求項５において、上記少なくとも第１の補強フレームのフック部と、該フック部に重なり合う第２の補強フレームの他端部にはそれぞれ長孔状のロック孔が組み付け時に略一致するように形成されており、板ばねに固定部を回動可能に接続してなる固定部材の該固定部を上記ロック孔に挿入して回動することにより上記板ばねと固定部とで上記第１の補強フレームのフック部と第２の補強フレームの他端部とが押圧固定されていることを特徴とする補強フレーム付紙製パレット。
【発明の詳細な説明】
【０００１】
【発明の属する技術分野】
本発明は、例えばフォークリフトにより荷物を運搬する際に使用される紙製パレットに関し、詳細には運搬時に損傷するのを防止できるようにした補強フレーム付紙製パレットに関する。
【０００２】
【従来の技術】
一般に、フォークリストにより荷物を運搬する場合、従来から木製のパレットが使用されている。また最近では、木製パレットに比べて材料コストが低く、かつ軽量であり、しかもリサイクルが可能な紙製パレットが注目されている（例えば、特許文献１，２参照）。
【０００３】
【特許文献１】
特開２００２−１９７８１号公報
【０００４】
【特許文献２】
特開２００１−７２０６５号公報
【０００５】
【発明が解決しようとする課題】
ところで、上記従来のように紙製パレットを採用した場合には、フォークリフトのフォーク爪でパレットを昇降させたり，押したり，旋回させたりする際に損傷し易く、寿命が短いという問題があり、この点での改善が要請されている。
【０００６】
本発明は、上記実情に鑑みてなされたもので、フォークリフト等によりパレット本体を運搬する際の損傷を防止して寿命を向上できる補強フレーム付紙製パレットを提供することを目的としている。
【０００７】
【課題を解決するための手段】
請求項１の発明は、上下一対の矩形状載置板と該載置板同士を結合する複数の桁部とでフォーク差し込み孔を形成してなる紙製パレット本体と、該パレット本体の側面に装着固定された帯板状のフレーム部と該フレーム部に上記フォーク差し込み孔の内側を囲むように形成された差し込み口とを有する金属製補強フレームとを備えたことを特徴とする補強フレーム付紙製パレットである。
【０００８】
請求項２の発明は、請求項１において、上記パレット本体の載置板の少なくとも荷物載置面に防水性の紙板が貼着されていることを特徴としている。
【０００９】
請求項３の発明は、請求項１において、上記パレット本体の載置板の少なくとも荷物載置面に防水性のベニヤ板，又はプラスチック板，もしくは金属板が配置され、該ベニヤ板，プラスチック板，金属板は上記補強フレームと載置板とにより挟持固定されていることを特徴としている。
【００１０】
請求項４の発明は、請求項１ないし３の何れかにおいて、上記補強フレームが、上記フレーム部の上縁及び下縁に上記載置板の縁部を挟持する断面コ字状の挟持部を一体形成して構成されていることを特徴としている。
【００１１】
請求項５の発明は、請求項１ないし４の何れかにおいて、上記補強フレームが、上記フレーム部の一端に内側に屈曲して延びるフック部を一体形成し、他端部にフック係合孔を形成して構成されており、上記パレット本体の各側面に組み付けられた第１の補強フレームのフック係合孔に第２の補強フレームのフック部が係合し、該第２の補強フレームのフック係合孔に第３の補強フレームのフック部が係合し、該第３の補強フレームのフック係合孔に第４の補強フレームのフック部が係合し、該第４の補強フレームのフック係合孔に上記第１の補強フレームのフック部が係合していることを特徴としている。
【００１２】
請求項６の発明は、請求項５において、上記少なくとも第１の補強フレームのフック部と、該フック部に重なり合う第２の補強フレームの他端部にはそれぞれ長孔状のロック孔が組み付け時に略一致するように形成されており、板ばねに固定部を回動可能に接続してなる固定部材の該固定部を上記ロック孔に挿入して回動することにより上記板ばねと固定部とで上記第１の補強フレームのフック部と第２の補強フレームの他端部とが押圧固定されていることを特徴としている。
【００１３】
【発明の作用効果】
請求項１の発明に係る紙製パレットによれば、フレーム部とフォーク差し込み口とを有する金属製補強フレームをパレット本体の側面に装着固定したので、例えばフォークリフトのフォーク爪により昇降，押し込み，旋回操作を行ってもフォーク爪が金属製の差し込み口に当たってパレット本体に接触することはなく、パレット本体の損傷を抑制でき、それだけ寿命の向上を図ることができる。
【００１４】
請求項２の発明では、パレット本体の少なくとも荷物載置面に防水性を有する紙板を貼着したので、パレット本体に水がかかっても変形したり変質したりするのを防止でき、この点からも寿命を向上できる。
【００１５】
請求項３の発明では、パレット本体の荷物載置面に防水性を有するベニヤ板，プラスチック板，金属板の何れかを配置し、これらを補強フレームと載置板とで挟持固定したので、パレット本体に水がかかっても変形したり変質したりするのを防止できる。
【００１６】
また上記ベニヤ板等を接着剤を使わずに固定したので、廃棄する際の分別作業が簡単であり、リサイクルを容易にできる。即ち、上記ベニヤ板等を接着する場合には、強力な接着剤を使用することから、廃棄時に取り外すのに手間がかかり、分別作業が面倒となるという問題がある。
【００１７】
請求項４の発明では、フレーム部の上縁及び下縁に載置板の縁部を挟持する断面コ字状の挟持部を一体形成したので、補強フレームをこれの挟持部をパレット本体の縁部に嵌装させるだけの簡単な作業で取付けることができる。またパレット本体に加わる荷重を補強フレームで支えることができ、従来の紙製パレット単体では困難であった重量物の運搬も可能となる。さらにフォーク差し込み孔部を足で踏みつける等の集中的な荷重による損傷を抑制でき、寿命の向上を図ることができる。
【００１８】
請求項５の発明では、フレーム部の一端にフック部を折り曲げ形成するとともに、他端部にフック係合孔を形成し、第１の補強フレームのフック係合孔に第２の補強フレームのフックを係合させ、同様に第２の補強フレームに第３の補強フレームを、該第３の補強フレームに第４の補強フレームを、該第４の補強フレームに上記第１の補強フレームをそれぞれ係合させることによりパレット本体の各側面に組み付けたので、何れの方向からもフォーク爪を挿入することができ、運搬作業を向上できる。
【００１９】
また上述のように第１〜第４の補強フレームの各フック部をフック係合孔に係合させて順次組み付ける構造であるので、ねじやボルト等による取付けを不要にでき、取付け作業を容易に行うことができるとともに、コストを低減できる。
【００２０】
請求項６の発明では、少なくとも第１の補強フレームのフック部と該フック部と重なり合う第２の補強フレームの他端部とにロック孔を形成し、該ロック孔に固定部材の固定部を挿入して上記重なり部を押圧固定したので、補強フレームの取付け強度を高めることができ、運搬中に外れたりするのを防止できる。即ち、第１〜第４の各補強フレームを係合させて組み付けるだけでは、がたつきが生じて取付け強度が低下するおそれがあり、上記固定部材により少なくとも１カ所を固定することによりがたつきの問題を解消できる。
【００２１】
【発明の実施の形態】
以下、本発明の実施の形態を添付図面に基づいて説明する。
【００２２】
図１ないし図９は、本発明の一実施形態による補強フレーム付紙製パレットを説明するための図であり、図１は補強フレーム付紙製パレットの全体斜視図、図２，図３は金属製補強フレームの正面図，平面図、図４は補強フレームのフック部部分を示す側面図、図５は補強フレームのフック係合孔部分を示す正面図、図６はフック部の係合状態を示す断面平面図（図５のＶＩ−ＶＩ　線断面図）、図７は補強フレームの差し込み口部分の断面側面図（図２のＶＩＩ−ＶＩＩ　線断面図）、図８，図９は固定部材の斜視図，正面図である。
【００２３】
図において、１は荷物を運搬する際に使用される補強フレーム付紙製パレットを示しており、これは紙製のパレット本体２と金属製の補強フレーム３とを備えている。
【００２４】
上記パレット本体２は、正方形状をなす上下一対の載置板４，４同士をこれの各コーナ部，長手方向中央部，及び中心部に配置された直方体状の桁部５により接着材で結合した構造となっている。このようにしてパレット本体２の各側面には上下載置板４と各桁部５とで囲まれた一対のフォーク差し込み孔２ａが形成されている。この差し込み孔２ａ内に、図示していないがフォークリフトのフォーク爪を挿入してパレット本体２を昇降，旋回させて運搬することとなる。
【００２５】
上記載置板４は複数枚の厚紙を積層するとともに接着してなるものであり、上記各桁部５は厚紙を角筒状をなすように折り曲げて形成されたものであり、これにより載置物の重量に対する強度を確保している。
【００２６】
上記各載置板４の外表面（荷物載置面）には防水処理が施されている。具体的には防水性紙板４ａが貼着されている（図４参照）。なお、他の防水処理としては、防水加工を施したベニヤ板，プラスチック板，金属薄板を配置し、これの外縁部を上記補強フレーム３と載置板４とで挟持固定してもよく、このようにした場合には接着剤を不要にできる。
【００２７】
上記補強フレーム３は鉄製のものからなり、主として、パレット本体２の側面を概ね覆う大きさの帯板状のフレーム部３ａと、該フレーム部３ａに上記各フォーク差し込み孔２ａの内側を囲むように形成されたフォーク差し込み口３ｂと、上記フレーム部３ａの上縁及び下縁に一体形成され、上記載置板４の縁部を挟持する断面コ字状の挟持部３ｃ，３ｃとを備えている。ここで、上記補強フレーム３にはアルミ合金製，ステンレス製のものを採用することも可能である。
【００２８】
また上記各補強フレーム３は正方形状の載置板４に対応するために何れも同じ寸法に形成されている。なお、載置板が長方形状の場合には各辺の長さに応じた複数種類の補強フレームを準備することとなる。
【００２９】
上記フレーム部３ａの差し込み口３ｂの周縁には内側に突出して延びる縦，横補強片３ｄ，３ｅが一体に屈曲形成されている。また上記フレーム部３ａの左，右の差し込み口３ｂの間にはコ字状の補強板６が装着されている。これにより各差し込み口３ｂは差し込み孔２ａ内に延びる縦，横補強片３ｄ，３ｅ及び補強板６で囲まれていることから、フォークの爪がパレット本体２に接触することはない。
【００３０】
上記補強フレーム３のフレーム部３ａの長手方向左側端縁には内側に屈曲して延びる上下一対のフック部３ｆ，３ｆが一体形成されている。この各フック部３ｆは概ね台形状の舌片の先端に鉤状のフックを内側に折り曲げ形成した構造のものである。上記フレーム部３ａのフック部３ｆの反対側の右側端部には上下一対のフック係合孔３ｇ，３ｇが形成されており、該各フック係合孔３ｇは上下方向に延びる縦長孔となっている。
【００３１】
上記各フック部３ｆには長孔のロック孔３ｈが斜めに傾斜するよう形成されている。また上記フレーム部３ａの右側端部のフック係合孔３ｇの近傍には上記ロック孔３ｈと同一形状のロック孔３ｊが形成されている。この各ロック孔３ｈ，３ｊは、後述の第４，第１の補強フレーム３をパレット本体２に組み付けた時に一致するように形成位置が設定されている（図５参照）。
【００３２】
上記ロック孔３ｈ，３ｊには固定部材８が装着されている。この固定部材８は、図８，図９に示すように、板ばね９にＴ字状の固定部１０を回動可能に接続したものであり、該固定部１０は軸部１０ａに把手１０ｂを一体形成し、該軸部１０ａをリベット１１により板ばね９に回転可能に固定した構造となっている。また把手１０ｂの下面両端部には球状の押圧部１０ｃが一体形成されている。
【００３３】
そして各ロック孔３ｈ，３ｊには固定部１０が挿通されている。この状態で把手１０ｂを４５度程度回動することにより、板ばね９の付勢力と把手１０ｂの押圧部１０ｃとで第１の補強フレーム３のフック部３ｆと第２の補強フレーム３のフレーム部３ａとが押圧固定されている（図４，図９参照）。このように、上記押圧部１０ｃはフック部３ｆの一番狭い部分に固定されることから、板ばね９の付勢力により反発され、人為的な作業を施さなければ外れないようになっている。
【００３４】
次に本実施形態の作用効果について説明する。
【００３５】
パレット本体２に補強フレーム３を組み付けるには、図１に示すように、まず第１の補強フレーム３（Ａ）をパレット本体２の側面に配設するとともに各挟持部３ｃをパレット本体２の縁部に嵌装させ、隣り合う側面に第２の補強フレーム３（Ｂ）を配設し、該第２の補強フレーム３（Ｂ）のフック部３ｆを第１の補強フレーム３（Ａ）のフック係合孔３ｇに係止させるとともに上記同様に挟持部３ｃをパレット本体２に嵌装させ、これにより第１，第２の補強フレーム３（Ａ）（Ｂ）同士を連結する。これと同様に、第３の補強フレーム３（Ｃ）をパレット本体２の側面に配設するとともにこれのフック部３ｆを第２の補強フレーム３（Ｂ）のフック係合孔３ｇに係止させ、続いて第４の補強フレーム３（Ｄ）のフック部３ｆを第３の補強フレーム３（Ｃ）のフック係合孔３ｇに係止させ、最後に第４の補強フレーム（Ｄ）のフック係合孔３ｇに第１の補強フレーム３（Ａ）のフック部３ｆを係止させる。次いで第４の補強フレーム３（Ｄ）のフック部３ｆと第１の補強フレーム３（Ａ）のフレーム部３ａとを固定部材８により押圧固定する。ここで、固定部材８は組み付け強度を確保するうえで必要な箇所に配置すればよく、特に限定するものではない。
【００３６】
このように本実施形態によれば、紙製のパレット本体２の各側面にフレーム部３ａとフォーク差し込み口３ｅとを有する鉄製の補強フレーム３を装着固定したので、フォークリフトのフォーク爪により昇降，押し出し，旋回操作を行ってもフォーク爪が鉄製の差し込み口３ｅに当たってパレット本体２に接触することはなく、パレット本体２の損傷を抑制でき、それだけ寿命の向上を図ることができる。
【００３７】
またパレット本体２の外表面に防水性を有する紙板４ａを貼着したので、パレット本体２に水がかかっても変形したり変質したりするのを防止でき、この点からも寿命を向上できる。なお、上述のように、防水性を有するベニヤ板，プラスチック板，金属板を補強フレームの教示部３ｃで挟持固定した場合には、水による変形や変質を防止できるとともに、廃棄する際の分別作業が容易となり、リサイクルが簡単にできる。
【００３８】
本実施形態では、フレーム部３ａの上縁及び下縁に載置板４の縁部を挟持する断面コ字状の挟持部３ｃを一体形成したので、上下挟持部３ｃをパレット本体２の縁部に嵌装させるだけの簡単な作業で補強フレーム３を取付けることができる。またパレット本体２に加わる荷重を補強フレーム３で支えることができ、従来の紙製パレット単体では困難であった重量物の運搬も可能となる。
【００３９】
本実施形態では、フレーム部３ａの長手方向左側端縁にフック部３ｆを折り曲げ形成するとともに、右側端部にフック係合孔３ｇを形成したので、上述のように、第１の補強フレーム３（Ａ）のフック係合孔３ｇに第２の補強フレーム３（Ｂ）のフック部３ｆを係止させ、該第２の補強フレーム３（Ｂ）に第３の補強フレーム３（Ｃ）を、該第３の補強フレーム３（Ｃ）に第４の補強フレーム３（Ｄ）を、該第４の補強フレーム（Ｄ）に上記第１の補強フレーム３（Ａ）をそれぞれ係止させることにより、容易に組み付けることがてきるとともに、何れの方向からもフォーク爪を挿入することができ、運搬作業を向上できる。
【００４０】
また第１〜第４の補強フレーム３の各フック部３ｆをフック係合孔３ｇに係止させて順次組み付ける構造であるので、ねじやボルト等による取付けを不要にでき、取付け作業を容易に行うことができるとともに、コストを低減できる。
【００４１】
本実施形態では、補強フレーム３のフック部３ｆにロック孔３ｈを形成するとともに、フレーム部３ａのフック係合孔３ｇの近傍にロック孔３ｊを形成し、ロック孔３ｈ，３ｊに固定部材８の固定部１０を挿入し、該固定部１０と板ばね９とで第４，第１の補強フレーム３同士を押圧固定したので、補強フレーム３の組み付け強度を高めることができ、運搬中に外れたりするのを防止できる。
【００４２】
また、本実施形態では、紙製パレット本体２に鉄製補強フレーム３を装着して補強する構造であるので、パレット本体２が劣化した場合には、補強フレーム３を取り外して新規なパレット本体に装着することができ、補強フレーム３を繰り返し使用することができる。
【図面の簡単な説明】
【図１】本発明の一実施形態による補強フレーム付紙製パレットの全体斜視図である。
【図２】上記補強フレーム付紙製パレットの補強フレームの正面図である。
【図３】上記補強フレームの平面図である。
【図４】上記補強フレームのフック部を示す側面図である。
【図５】上記補強フレームのフック係合孔を示す正面図である。
【図６】上記補強フレームのフック部の係合状態を示す断面平面図（図５のＶＩ−ＶＩ　線断面図）である。
【図７】上記補強フレームの断面側面図（図２のＶＩＩ−ＶＩＩ　線断面図）　である。
【図８】上記補強フレームの固定部材の斜視図である。
【図９】上記固定部材の正面図である。
【符号の説明】
１　　　　　　　補強フレーム付紙製パレット
２　　　　　　　パレット本体
２ａ　　　　　　フォーク差し込み孔
３　　　　　　　補強フレーム
３ａ　　　　　　フレーム部
３ｂ　　　　　　差し込み口
３ｃ　　　　　　挟持部
３ｆ　　　　　　フック部
３ｇ　　　　　　フック係合孔
３ｈ，３ｊ　　　ロック孔
４　　　　　　　載置板
５　　　　　　　桁部
８　　　　　　　固定部材
９　　　　　　　板ばね
１０　　　　　　固定部
【図１】
2004131126.tif 000003
【図２】
2004131126.tif 000004
【図３】
2004131126.tif 000005
【図４】
2004131126.tif 000006
【図５】
2004131126.tif 000007
【図６】
2004131126.tif 000008
【図７】
2004131126.tif 000009
【図８】
2004131126.tif 000010
【図９】
2004131126.tif 000011